(57)【要約】【課題】干渉セルのアップリンク通信による干渉量を適切に測定するための技術を提供する。【解決手段】無線通信システムにおけるユーザ装置において、リソースの設定情報を格納する設定情報格納部と、前記設定情報に基づいて、前記リソースを使用して、干渉セルのアップリンク通信による干渉量を測定する測定部と、を備える。【選択図】図２９
2020129707.tif 000002
【特許請求の範囲】
【請求項１】
無線通信システムにおけるユーザ装置であって、
リソースの設定情報を格納する設定情報格納部と、
前記設定情報に基づいて、前記リソースを使用して、干渉セルのアップリンク通信による干渉量を測定する測定部と、
を備えることを特徴とするユーザ装置。
【請求項２】
前記リソースは、前記ユーザ装置のサービングセルにおいてダウンリンク信号が送信されないリソースである
ことを特徴とする請求項１に記載のユーザ装置。
【請求項３】
前記リソースは、前記アップリンク通信が行われる干渉セルにおいて参照信号の送信用に設定されるリソースと重複するリソースである
ことを特徴とする請求項１又は２に記載のユーザ装置。
【請求項４】
前記測定部により測定された前記アップリンク通信による干渉量、及び、当該アップリンク通信を実行したユーザ装置の識別情報を含む測定報告を基地局に送信する送信部
を更に備えることを特徴とする請求項１ないし３のうちいずれか１項に記載のユーザ装置。
【請求項５】
無線通信システムにおけるユーザ装置が実行する干渉測定方法であって、
リソースの設定情報を設定情報格納部に格納するステップと、
前記設定情報に基づいて、前記リソースを使用して、干渉セルのアップリンク通信による干渉量を測定する測定ステップと、
を備えることを特徴とする干渉測定方法。
【発明の詳細な説明】
【技術分野】
【０００１】
本発明は、無線通信システムにおけるユーザ装置に関連するものである。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）及びＬＴＥ−Ａｄｖａｎｃｅｄの次世代の通信規格（ＮＲ）が議論されている。ＮＲシステムでは、発生するダウンリンクトラフィック及びアップリンクトラフィックに応じて、ダウンリンク通信及びアップリンク通信に使用されるリソースをフレキシブルに制御するフレキシブルＤｕｐｌｅｘが検討されている。フレキシブルＤｕｐｌｅｘとして、例えば、図１（ａ）に示すように時間領域でアップリンクリソース及びダウンリンクリソースを動的に切り替えるＴＤＤ方式（以降、ダイナミックＴＤＤ（Ｔｉｍｅ  Ｄｉｖｉｓｉｏｎ  Ｄｕｐｌｅｘ））、図１（ｂ）に示すように、周波数領域におけるアップリンクリソース及びダウンリンクリソースを動的に変更するＦＤＤ方式、及び、図１（ｃ）に示すように、ＴＤＤ方式とＦＤＤ方式を組み合わせた方式がある。また、同一リソースでアップリンク通信とダウンリンク通信を同時に行うＦｕｌｌ  ｄｕｐｌｅｘも検討されている。以下、例として、ダイナミックＴＤＤをより詳しく説明する。
【０００３】
典型的には、小さなセルでは大きなセルと比較して、ダウンリンクトラフィックとアップリンクトラフィックとの偏りが大きくなることが想定される。このため、各セルにおいて独立してダイナミックＴＤＤを利用してダウンリンク通信とアップリンク通信とを制御することによって、トラフィックをより効率的に収容することが可能になる。
【０００４】
ダイナミックＴＤＤでは、サブフレーム、スロット、ミニスロット等のある時間間隔でダウンリンク及びアップリンクの通信方向が動的に変更される。すなわち、図２（ａ）に示されるように、ＬＴＥにおいて適用されているスタティックＴＤＤでは、セル間で共通する予め設定されたダウンリンク／アップリンクパターンが利用される。他方、ダイナミックＴＤＤでは、図２（ｂ）に示されるように、各セルで個別のダウンリンク／アップリンクパターンが利用される。このため、各セルは、ダウンリンク及びアップリンクのトラフィック量に応じて動的にダウンリンク及びアップリンクの通信方向を変更することができる。
【先行技術文献】
【非特許文献】
【０００５】
【非特許文献１】３ＧＰＰ  ＴＳ  ３６．２１１  Ｖ１４．０．０
【発明の概要】
【発明が解決しようとする課題】
【０００６】
上記のように、ダウンリンク通信及びアップリンク通信に使用されるリソースをセル毎にフレキシブルに制御する方式を採用した場合、例えば、あるセル（サービングセル：ｓｅｒｖｉｎｇ  ｃｅｌｌと呼ぶ）におけるダウンリンク通信に対し、他のセル（干渉セル：ｉｎｔｅｒｆｅｒｉｎｇ  ｃｅｌｌと呼ぶ）におけるアップリンク通信が干渉となり、サービングセルにおけるユーザ装置が基地局からの下り信号を適切に受信できない可能性が増大する。このような干渉を低減するためには、基地局間でスケジューリングを協調して実行する協調スケジューリング、ユーザ装置が干渉低減機能を備える場合におけるユーザ装置による干渉低減処理、等の対処を実施することが必要である。
【０００７】
上記の対処を実施するためには、干渉セルのアップリンク通信による干渉量を適切に測定することが必要である。
【０００８】
本発明は上記の点に鑑みてなされたものであり、ユーザ装置が、干渉セルのアップリンク通信による干渉量を適切に測定することを可能とする技術を提供することを目的とする。
【課題を解決するための手段】
【０００９】
開示の技術によれば、無線通信システムにおけるユーザ装置であって、
リソースの設定情報を格納する設定情報格納部と、
前記設定情報に基づいて、前記リソースを使用して、干渉セルのアップリンク通信による干渉量を測定する測定部と、
を備えることを特徴とするユーザ装置が提供される。
【発明の効果】
【００１０】
開示の技術によれば、干渉セルのアップリンク通信による干渉量を適切に測定することを可能とする技術が提供される。
【図面の簡単な説明】
【００１１】
【図１】フレキシブルデュプレックスを説明するための図である。（ａ）はＴＤＤを示し、（ｂ）はＦＤＤを示し、（ｃ）は組み合わせを示す。
【図２】スタティックＴＤＤ（ａ）とダイナミックＴＤＤ（ｂ）を説明するための図である。
【図３】本発明の実施の形態における無線通信システムを示す図である。
【図４】ダイナミックＴＤＤにおけるＤＬ／ＵＬパターンの例を示す図である。（ａ）はパターン１を示し、（ｂ）はパターン２を示し、（ｃ）はパターン３を示す。
【図５】ダイナミックＴＤＤのフレーム構成の例を示す図である。
【図６】ＤＬの干渉パターンを説明するための図である。
【図７】システムの全体動作例を説明するための図である。
【図８】実施例１−１−１を説明するための図である。
【図９】実施例１−１−２を説明するための図である。
【図１０】実施例１−２を説明するための図である。
【図１１】実施例１における設定方法例１を説明するための図である。
【図１２】実施例１における設定方法例１を説明するための図である。
【図１３】実施例１における設定方法例１を説明するための図である。
【図１４】実施例１における設定方法例２を説明するための図である。
【図１５】実施例１における設定方法例２を説明するための図である。
【図１６】実施例１における設定方法例３を説明するための図である。
【図１７】実施例１における設定方法例４を説明するための図である。
【図１８】実施例１における設定方法例４を説明するための図である。
【図１９】実施例１における設定方法例５を説明するための図である。
【図２０】実施例１における設定方法例５を説明するための図である。
【図２１】実施例２−１を説明するための図である。
【図２２】実施例２−１を説明するための図である。
【図２３】実施例２−１を説明するための図である。
【図２４】実施例２−１を説明するための図である。
【図２５】実施例２−２を説明するための図である。
【図２６】実施例２−２を説明するための図である。
【図２７】実施例３を説明するための図である。
【図２８】実施例３を説明するための図である。
【図２９】ユーザ装置１００の機能構成の一例を示す図である。
【図３０】基地局２００の機能構成の一例を示す図である。
【図３１】ユーザ装置１００と基地局２００のハードウェア構成の一例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。
【００１３】
本実施の形態の無線通信システムは、少なくともＬＴＥの通信方式をサポートしていることを想定している。よって、無線通信システムが動作するにあたっては、適宜、既存のＬＴＥで規定された既存技術を使用できる。ただし、当該既存技術はＬＴＥに限られない。また、本明細書で使用する「ＬＴＥ」は、特に断らない限り、ＬＴＥ−Ａｄｖａｎｃｅｄ、及び、ＬＴＥ−Ａｄｖａｎｃｅｄ以降の方式を含む広い意味を有するものとする。また、本発明は、ＬＴＥ以外の通信方式にも適用可能である。
【００１４】
また、本実施の形態では、既存のＬＴＥで使用されているＲＲＣ、ＰＤＳＣＨ、ＤＣＩ、ＰＤＣＣＨ、ＣＳＩ−ＲＳ、ＣＲＳ，ＳＲＳ、ＤＭＲＳ等の用語を使用しているが、これは記載の便宜上のためであり、これらと同様の信号、機能等が他の名称で呼ばれてもよい。
【００１５】
また、以下で説明する本実施の形態では、無線通信システムがフレキシブルＤｕｐｌｅｘをサポートする場合の例を示しているが、フレキシブルＤｕｐｌｅｘをサポートしない場合でも、本発明を適用することができる。
【００１６】
（無線通信システムの構成）
図３は、本実施の形態における無線通信システム１０の構成の例を示す図である。図３に示すように、無線通信システム１０は、ユーザ装置１０１、１０２（以降、ユーザ装置１００として総称されうる）及び基地局２０１、２０２（以降、基地局２００として総称されうる）を含む。無線通信システム１０は、前述したように、アップリンク通信及びダウンリンク通信に使用されるリソースをフレキシブルに制御するフレキシブルＤｕｐｌｅｘをサポートするが、本実施の形態では、主に、フレキシブルＤｕｐｌｅｘの例としてのダイナミックＴＤＤを用いた説明を行っている。ダイナミックＴＤＤ以外のフレキシブルＤｕｐｌｅｘの方式にも本発明を適用することが可能である。
【００１７】
ユーザ装置１００は、スマートフォン、携帯電話、タブレット、ウェアラブル端末、Ｍ２Ｍ（Ｍａｃｈｉｎｅ−ｔｏ−Ｍａｃｈｉｎｅ）用通信モジュールなどの無線通信機能を備えた何れか適切な通信装置であり、基地局２００に無線接続し、無線通信システム１０により提供される各種通信サービスを利用する。
【００１８】
基地局２００は、１つ以上のセルを提供し、ユーザ装置１００と無線通信する通信装置である。図示された例では、例示として２つの基地局２０１，２０２を示すが、一般には、無線通信システム１０のサービスエリアをカバーするよう多数の基地局２００が配置される。
【００１９】
また、本実施の形態に係る無線通信システム１０では、セル間が同期しているものとする。従って、セル間で、時間フレーム（無線フレーム、サブフレーム、スロット、もしくはミニスロット等）の境界は一致しているとする。
【００２０】
例えば、あるセルで、特定のスロットＡの先頭からの時間位置Ｔを指定し、別のセルでスロットＡの先頭からの時間位置Ｔを指定した場合、両者の絶対時間は一致する（あるいは、一致すると見なせる範囲の誤差を有する）。なお、本実施の形態では、スロットをＴＴＩ（Ｔｒａｎｓｍｉｓｓｉｏｎ  Ｔｉｍｅ  Ｉｎｔｅｒｖａｌ）と称してもよい。
【００２１】
ただし、本発明はセル間が同期している場合に限られず、同期していない場合にも適用することは可能である。
【００２２】
また、本実施の形態における信号波形はＵＬ，ＤＬともにＣＰ−ＯＦＤＭであるが、ＵＬとＤＬの信号波形が既存のＬＴＥと同じであってもよい。
【００２３】
（ダイナミックＴＤＤの構成について）
前述したように、本実施の形態では、例としてダイナミックＴＤＤを使用することから、本実施の形態におけるダイナミックＴＤＤの構成例について説明する。
【００２４】
本実施の形態に係るダイナミックＴＤＤでは、例えば、図４に示されるように、いくつかのアップリンク（以下、ＵＬ）／（ダウンリンク（以下、ＤＬ）パターンによってＵＬ通信及びＤＬ通信が行われる。ただし、これらに限定されるものではない。
【００２５】
図４（ａ）のパターン１では、全ての時間間隔でＵＬ通信／ＤＬ通信が可能である。なお、ここでの「時間間隔」は、図４（ａ）（（ｂ）、（ｃ）も同様）における１つの四角の枠の時間幅（「Ｅ．ｇ．，  ｓｕｂｆｒａｍｅ，  ｓｌｏｔ  ｏｒ  Ｍｉｎｉ−ｓｌｏｔ」と記載されている幅）である。この「時間間隔」をＴＴＩと称してもよい。
【００２６】
パターン２では、一部の時間間隔ではＵＬ通信／ＤＬ通信が固定的に設定され、当該時間間隔では設定された通信方向しか許容されない。他方、その他の時間間隔では、ＵＬ通信／ＤＬ通信を切り替えて実施することが可能である。パターン３では、一部の時間間隔と、時間間隔内のある区間（図示された例では、時間間隔内の両エンドの区間がＤＬ通信及びＵＬ通信に固定的に設定されている）ではＵＬ通信／ＤＬ通信が固定的に設定され、当該時間間隔では設定された通信方向しか許容されない。他方、その他の時間間隔では、ＵＬ通信／ＤＬ通信が可能である。
【００２７】
本実施の形態では、例として、本発明に係る技術をパターン３に適用する形態について説明をしている。なお、パターン３において、時間間隔内の両エンドの区間以外に、ＵＬ通信／ＤＬ通信を固定的に設定した時間区間を設けないこととしてもよい。
【００２８】
図５は、図４（ｃ）に示したパターン３に係るフレーム構成をより詳細に示す図である。以下では、説明の便宜上、上述した「時間間隔」をスロットと呼ぶ。ただし、以下で使用するスロットを、ＴＴＩ（送信時間間隔）、単位時間長フレーム、サブフレーム、ミニスロット、又は無線フレームに置き換えても良い。
【００２９】
スロットの時間長は、時間の経過によって変化しない固定的な時間長であってもよいし、パケットサイズ等により変化する時間長であってもよい。また、パケットサイズ等に応じて、複数の連続するスロットをデータ通信等に使用する場合に、当該複数の連続するスロットを１つのスロットと見なすこととしてもよい。
【００３０】
図５に示すように、本例において、１つのスロットは、下りの制御チャネル用の先頭の時間区間（ＤＬ制御チャネル区間）、データ通信用の時間区間（データ区間）、上りの制御チャネル用の末尾の時間区間（ＵＬ制御チャネル区間）を有する。また、ＤＬとＵＬとの境には、切り替えのためのガード区間（ＧＰ：ｇｕａｒｄ  ｐｅｒｉｏｄ）が設けられる。
【００３１】
あるスロットにおけるデータ区間が、ＤＬかＵＬかについては、例えば、セミスタティックに定められる。この場合、例えば、基地局２００からユーザ装置１００に対し、上位レイヤシグナリング（ＲＲＣシグナリング等）により、スロットの集合におけるＵＬ又はＤＬのパターン等が通知される（例：非特許文献１に示されるパターン）。
【００３２】
あるスロットにおけるデータ区間が、ＤＬかＵＬかについては、ダイナミックに定められてもよい。この場合、例えば、図５のＡ，Ｂに示すスロットにおけるＤＬ制御チャネル区間において、ユーザ装置１００が基地局２００からＤＬ制御チャネルにより、ＤＬ又はＵＬの指定を含む下り制御情報を受信し、当該指定に従って、ユーザ装置１００はＵＬデータ送信、又は、ＤＬデータ受信を行う。
【００３３】
Ａで示すように、スロットにおけるデータ区間がＤＬである場合、当該スロットのＵＬ制御チャネル区間において、ユーザ装置１００は、例えば、ＤＬデータに対するＡＣＫ／ＮＡＣＫを送信する。また、Ｂで示すように、スロットにおけるデータ区間がＵＬである場合、当該スロットのＵＬ制御チャネル区間において、ユーザ装置１００は、例えば、当該スロットの前に受信したＤＬデータに対するＡＣＫ／ＮＡＣＫを送信する。
【００３４】
（干渉パターンについて）
本実施の形態では、サービングセルにおいて、ユーザ装置１００が、サービンングセルの基地局２００から設定されるリソースを使用して、サービングセルにおけるＤＬ通信に対する干渉量を測定することを可能としている。これを可能とする仕組みを説明するにあたり、まず、ＤＬ通信の干渉パターンについて図６を参照して説明する。図６には、無線通信システム１０において、基地局２０１、２０２、ユーザ装置１０１、１０２に加えて、基地局２０３、ユーザ装置１０３も示されている。また、図６において、基地局２０１のセルがサービングセルであり、基地局２０２のセル及び基地局２０３のセルはいずれも干渉セルとする。
【００３５】
図６に示すとおり、隣接セルの基地局（図６では基地局２０２）からのＤＬ信号と、隣接セルのユーザ装置（図６ではユーザ装置１０３）からのＵＬ信号が干渉となる。特に、隣接セルのユーザ装置（図６ではユーザ装置１０３）からのＵＬ信号による干渉は、ＤＬとＵＬのクロスリンク干渉（ＣＬＩ）の例であり、例えば、干渉セルのＵＥからのＵＬデータチャネルがサービングセルのＤＬ制御チャネル及びＤＬデータチャネルに対する干渉になる等、影響が大きい。なお、隣接セルの基地局（図６では基地局２０２）からのＤＬ信号による干渉はセル間干渉（ＩＣＩ）と呼ばれる。
【００３６】
以下の説明では、サービングセルのユーザ装置１０１のＤＬ通信に対し、基地局２０２のセルをＤＬ干渉セルとし、基地局２０３のセルをＵＬ干渉セルとする。ＤＬ干渉セルの基地局２０２からのＤＬ信号がＩＣＩとなり、ＵＬ干渉セルのユーザ装置１０３からのＵＬ信号がＣＬＩとなる。なお、サービングセルのユーザ装置１０１に対してＩＣＩとなるＤＬ信号の送信元（基地局）は１つに限られず一般には複数であり、サービングセルのユーザ装置１０１に対してＣＬＩとなるＵＬ信号の送信元（ユーザ装置）も１つに限られず一般には複数である。
【００３７】
（基本動作例）
本実施の形態におけるユーザ装置１００と基地局２００の基本的な動作例を図７を参照して説明する。
【００３８】
図７に示すように、ユーザ装置１００は、干渉量の測定に使用する（干渉信号を受信する）リソースの設定情報を受信する（ステップＳ１０１）。この設定情報の通知は、ＲＲＣシグナリングで実行してもよいし、ＭＡＣ信号で実行してもよいし、ＰＤＣＣＨで実行してもよい。
【００３９】
ステップＳ１０２において、ユーザ装置１００は、ＤＬ通信を行うスロットにおいて、ＤＬ受信動作を行うとともに、ステップＳ１０１で受信した設定情報で設定されたリソースで干渉信号を受信することにより、干渉量の測定を行う。ステップＳ１０３において、ユーザ装置１００は、測定結果（干渉量、ＣＱＩ、ＣＳＩ等）を基地局２００に報告する。なお、後述するように、ステップＳ１０３の報告を行わないこととしてもよい。
【００４０】
以下、実施例１〜４を説明する。以下の各実施例では、参照信号としてＣＳＩ−ＲＳ、ＤＭＲＳを使用するが、これらは例である。参照信号として、これらに代えて、あるいは、これらに加えて、例えば、ＳＲＳあるいはＣＲＳが使用されてもよい。また、各実施例において、ＵＬ干渉セルからの干渉量のみを測定することとしてもよい。
【００４１】
（実施例１）
まず、ＣＳＩ−ＲＳに基づく測定を実施する実施例１について説明する。実施例１は、ＺＰ（Ｚｅｒｏ  Ｐｏｗｅｒ）  ＣＳＩ−ＲＳを使用する実施例１−１と、ＺＰ  ＣＳＩ−ＲＳとともに、ＮＺＰ  ＣＳＩ−ＲＳを使用する実施例１−２とに分けられる。
【００４２】
ここで、ＺＰ  ＣＳＩ−ＲＳは、サービングセルの信号をＭｕｔｉｎｇした（パワー０にする）信号である。ユーザ装置１０１は、ＺＰ  ＣＳＩ−ＲＳのリソースにおいて干渉量測定を行うことができる。ＮＺＰ  ＣＳＩ−ＲＳは、Ｚｅｒｏ  Ｐｏｗｅｒではない通常のＣＳＩ−ＲＳである。
【００４３】
＜実施例１−１＞
実施例１−１は実施例１−１−１と実施例１−１−２とに分けられる。以下、それぞれについて説明する。
【００４４】
図８は、実施例１−１−１を説明するための図である。（ａ）はサービングセルのＤＬのスロット構成を示し、（ｂ）はＤＬ干渉セルのＤＬのスロット構成を示し、（ｃ）はＵＬ干渉セルのＵＬのスロット構成を示す。各セルにおいて図の横軸が時間であり、縦軸は周波数である。このような図の意味については図９、図１０においても同様である。
【００４５】
実施例１−１−１では、サービングセルのユーザ装置１０１に対し、基地局２０１からＺＰ  ＣＳＩ−ＲＳによる干渉測定リソース（以下、ＩＭＲ：  Ｉｎｔｅｒｆｅｒｅｎｃｅ  Ｍｅａｓｕｒｅｍｅｎｔ  Ｒｅｓｏｕｒｃｅ）が設定（ｃｏｎｆｉｇｕｒｅ）される。
【００４６】
サービングセルのユーザ装置１０１は当該ＩＭＲにおいて、干渉セルから干渉信号（ＩＣＩとなるＤＬ信号とＣＬＩとなるＵＬ信号が含まれる）を受信し、干渉量を測定する。測定される干渉量は、例えば、干渉信号の受信強度（受信電力、又は受信レベルと称しても良い）、干渉信号のＳＩＮＲ（Ｓｉｇｎａｌ−ｔｏ−Ｉｎｔｅｒｆｅｒｅｎｃｅ  ａｎｄ  Ｎｏｉｓｅ  Ｒａｔｉｏ）、干渉信号のＢＥＲ（ビット誤り率）、干渉信号のＢＬＥＲ（ブロック誤り率）、等である。干渉信号の受信品質を干渉量と称してもよい。ユーザ装置１０１は、ＩＭＲで受信する信号に基づき、干渉信号の共分散行列を算出（推定）することができる。共分散行列も、ユーザ装置１０１が測定する干渉量の例である。また、ユーザ装置１０１は、干渉量に基づき、サービングセルの受信信号のＣＱＩを算出することとしてもよい。
【００４７】
実施例１−１−１では、ＩＣＩかＣＬＩかに関わらずに、設定されたＩＭＲを用いて、トータルの干渉量を測定する。
【００４８】
図９は、実施例１−１−２を説明するための図である。図９に示すように、実施例１―１−２では、サービングセルのユーザ装置１０１に対し、基地局２０１からＺＰ  ＣＳＩ−ＲＳにより２つのＩＭＲ（ＩＭＲ１、ＩＭＲ２）が設定される。更に、ＤＬ干渉セルのユーザ装置１０２に対して、ＩＭＲ１と同じ時間・周波数リソースのＩＭＲ３が設定される。
【００４９】
サービングセルのユーザ装置１０１は、ＩＭＲ１を使用することにより、ＵＬ干渉セルからの干渉量を正確に測定できる。ＩＭＲ３があるために、ＩＭＲ１には、ＤＬ干渉セルからの干渉信号が低減されるためである。
【００５０】
サービングセルのユーザ装置１０１は、ＩＭＲ２においては、実施例１−１−１と同様に、ＤＬ干渉セルからの干渉信号と、ＵＬ干渉セルからの干渉信号を受信するので、トータルの干渉量を測定する。
【００５１】
例えば、ユーザ装置１０１は、ＩＭＲ２での測定結果を共分散行列の推定に使用することとしてよい。また、ユーザ装置１０１は、ＩＭＲ１での測定結果をＣＬＩ干渉のみを考慮したＣＱＩの算出に使用し、ＩＭＲ２での測定結果をＣＬＩ干渉とＩＣＩ干渉の両方を考慮したＣＱＩの算出に使用することができる。
【００５２】
なお、実施例１−１−２では、ＣＳＩ−ＲＳ（ＺＰ  ＣＳＩ−ＲＳ含む）のリソース設定情報が基地局間で交換される。これにより、図９に示すようなセル間で重なったＩＭＲの設定を行うことができる。ただし、交換を行うことは必須ではなく、セル間で重なったＩＭＲの設定を予め定めたリソースで行うこととしてもよい。
【００５３】
なお、本明細書において、複数リソースが「重なる」、あるいは、複数リソースが「重複する」といった場合、完全に重なることの他、一部のみが重なることを含む。
【００５４】
＜実施例１−２＞
次に、図１０を参照して実施例１−２を説明する。図１０に示すように、実施例１−２では、サービングセルのユーザ装置１０１に対し、基地局２０１からＺＰ  ＣＳＩ−ＲＳによりＩＭＲが設定されるとともに、ＵＬ干渉セルのユーザ装置１０３に対し、基地局２０３から、当該ＩＭＲと重なる時間・周波数リソースでＮＺＰ  ＣＳＩ−ＲＳが設定される。つまり、ユーザ装置１０３は、当該リソースでＮＺＰ  ＣＳＩ−ＲＳの送信を行う。
【００５５】
上記の設定に基づき、サービングセルのユーザ装置１０１は、ＩＭＲにおいて、ＤＬ干渉セルからの干渉信号と、ＵＬ干渉セルからのＮＺＰ  ＣＳＩ−ＲＳを受信する。
【００５６】
実施例１−２では、サービングセルのユーザ装置１０１は、ＵＬ干渉セルからのＮＺＰ  ＣＳＩ−ＲＳにより、ＵＬ干渉セルからのＣＬＩ干渉信号のチャネル推定を行うことで、ＵＬ干渉セルからの干渉信号の復調を行うことができる。よって、サービングセルのユーザ装置１０１は、ＩＭＲで受信する全体の干渉信号から、ＵＬ干渉セルからのＣＬＩ干渉信号を分離することができる。つまり、ユーザ装置１０１は、ＵＬ干渉セルからの干渉量と、ＤＬ干渉セルからの干渉量のそれぞれを測定することができる。
【００５７】
例えば、ユーザ装置１０１は、ＩＭＲでの測定結果をＣＬＩ干渉のみを考慮したＣＱＩ又は共分散行列の算出に使用してもよいし、ＩＭＲでの測定結果をＣＬＩ干渉とＩＣＩ干渉の両方を考慮したＣＱＩ又は共分散行列の算出に使用してもよい。
【００５８】
なお、実施例１‐２でも、ＣＳＩ−ＲＳ（ＺＰ  ＣＳＩ−ＲＳ、ＮＺＰ  ＣＳＩ−ＲＳ含む）のリソース設定情報が基地局間で交換される。これにより、図１０に示すようなセル間で重なったＩＭＲとＮＺＰ  ＣＳＩ−ＲＳの設定を行うことができる。ただし、交換を行うことは必須ではなく、セル間で重なったＩＭＲとＮＺＰ  ＣＳＩ−ＲＳの設定を予め定めたリソースで行うこととしてもよい。
【００５９】
（実施例１−１−１、１−２についてのＺＰ  ＣＳＩ−ＲＳの設定方法について）
実施例１−１−１、１−２におけるＺＰ  ＣＳＩ−ＲＳの設定に関し、あるセルのＺＰ  ＣＳＩ−ＲＳは、ＤＬ送信を行う他セルのＰＤＳＣＨと重複するリソースに設定されることとしてよい。また、あるセルのＺＰ  ＣＳＩ−ＲＳは、ＵＬ送信を行う他セルのＰＵＳＣＨ又はＮＺＰ  ＣＳＩ−ＲＳと重複するリソースに設定されてよい。
【００６０】
本実施形態におけるＺＰ  ＣＳＩ−ＲＳの設定位置として、例えば、以下のオプションがある。
【００６１】
（１）ＺＰ  ＣＳＩ−ＲＳ設定オプション１
ＺＰ  ＣＳＩ−ＲＳは、ＮＺＰ  ＣＳＩ−ＲＳのリソースプール内に限定される。なお、ＮＺＰ  ＣＳＩ−ＲＳのリソースプールとは、ＮＺＰ  ＣＳＩ−ＲＳを設定可能なリソースである。
【００６２】
（２）ＺＰ  ＣＳＩ−ＲＳ設定オプション２
ＺＰ  ＣＳＩ−ＲＳは、スロット内の制御チャネル領域を除くどのリソースに設定してもよい（スロット内の制御チャネル領域を除く任意のリソースに限定される）。
【００６３】
以下、実施例１−１−１、１−２における上記のＺＰ  ＣＳＩ−ＲＳ設定オプション１とＺＰ  ＣＳＩ−ＲＳ設定オプション２のそれぞれについて具体例（それぞれについてＡｌｔ．（Ａｌｔｅｒｎａｔｉｖｅ）１〜３がある）を説明する。
【００６４】
＜実施例１−１−１、１−２：ＺＰ  ＣＳＩ−ＲＳ設定オプション１＞
Ａｌｔ．１）ＺＰ  ＣＳＩ−ＲＳをＲＲＣシグナリングによりセミスタティックに設定する。設定内容は、例えば、ＺＰ  ＣＳＩ−ＲＳ毎の固定のＲＥ（リソースエレメント）パターン（ＲＥ群と呼んでもよい）である。また、リソースプールにおけるどのＲＥをＺＰ  ＣＳＩ−ＲＳとして使用するかを指定するビットマップが使用されてもよい。
【００６５】
図１１、図１２に一例を示す。図１１には、スロットにおけるＣＳＩ−ＲＳのリソースプール（インデックスが０〜１５の４ＲＥ）が網掛けで示されている。この中から、インデックス１のＲＥ群をＺＰ  ＣＳＩ−ＲＳとしてユーザ装置１０１に設定する場合、基地局２０１は、ユーザ装置１０１に対し、ＲＲＣシグナリングにより、図１２に示すビットマップを送信する。なお、１インデックスを４ＲＥとすることは一例に過ぎない。
【００６６】
Ａｌｔ．２）ＺＰ  ＣＳＩ−ＲＳをＬａｙｅｒ１（物理）シグナリング（ＤＣＩ）によりダイナミックに設定する。この場合も、設定内容は、例えば、ＺＰ  ＣＳＩ−ＲＳ毎の固定のＲＥ（リソースエレメント）パターンである。また、ＣＳＩ−ＲＳリソースプールにおけるどのリソース（例：４ＲＥ）をＺＰ  ＣＳＩ−ＲＳとして使用するかを指定する情報がＤＣＩに含まれてもよい。
【００６７】
例えば、図１１に示す例において、インデックス１のＲＥ群をＺＰ  ＣＳＩ−ＲＳとしてユーザ装置１０１に設定する場合、基地局２０１は、ユーザ装置１０１に対し、物理下り制御チャネルにより、図１３に示す０００１を設定したＤＣＩを送信する。
【００６８】
Ａｌｔ．３）Ａｌｔ．１とＡｌｔ．２を組み合わせる。この場合、例えば、まず、設定候補となるＺＰ  ＣＳＩ‐ＲＳのリソースセットが上位レイヤシグナリング（ＲＲＣシグナリング等）により基地局２０１からユーザ装置１０１に設定される。そして、実際に使用するＺＰ  ＣＳＩ−ＲＳリソースが、Ｌ１シグナリングにより、基地局２０１からユーザ装置１０１に指定される。
【００６９】
＜実施例１−１−１、１−２：ＺＰ  ＣＳＩ−ＲＳ設定オプション２＞
Ａｌｔ．１）ＺＰ  ＣＳＩ−ＲＳをＲＲＣシグナリングによりセミスタティックに設定する。例えば、スロットにおける制御チャネル領域を除く時間・周波数リソースが複数のブロックに分割される（例：１ブロックが４ＲＥ）。そして、例えば、リソースプールにおけるどのブロックをＺＰ  ＣＳＩ−ＲＳとして使用するかを指定するビットマップが使用される。
【００７０】
図１４、図１５に一例を示す。図１４には、上述したブロック分割を行った領域の例として（ａ）、（ｂ）が示されている。（ａ）、（ｂ）では図示のとおりにインデックスの振り方が異なる。
【００７１】
ブロック分割を行った領域から、インデックス１のブロックをＺＰ  ＣＳＩ−ＲＳとしてユーザ装置１０１に設定する場合、基地局２０１は、ユーザ装置１０１に対し、例えばＲＲＣシグナリングにより、図１５に示すビットマップを送信する。なお、１ブロックを４ＲＥとすることは一例に過ぎない。
【００７２】
Ａｌｔ．２）ＺＰ  ＣＳＩ−ＲＳをＬａｙｅｒ１（物理）シグナリング（ＤＣＩ）によりダイナミックに設定する。この場合も、例えば、スロットにおける制御チャネル領域を除く時間・周波数リソースが複数のブロックに分割される（例：１ブロックが４ＲＥ）。そして、ブロックが存在する領域におけるどのリソースをＺＰ  ＣＳＩ−ＲＳとして使用するかを指定する情報（例：５ビットフィールド）がＤＣＩに含まれる。
【００７３】
例えば、図１４に示す例において、インデックス１のブロックをＺＰ  ＣＳＩ−ＲＳとしてユーザ装置１０１に設定する場合、基地局２０１は、ユーザ装置１０１に対し、物理下り制御チャネルにより、図１６に示す００００１を設定したＤＣＩを送信する。
【００７４】
Ａｌｔ．３）Ａｌｔ．１とＡｌｔ．２を組み合わせる。この場合、例えば、まず、設定候補となるＺＰ  ＣＳＩ‐ＲＳのリソースセットが上位レイヤシグナリングにより基地局２０１からユーザ装置１０１に設定される。そして、実際に使用するＺＰ  ＣＳＩ−ＲＳリソースが、Ｌ１シグナリングにより、基地局２０１からユーザ装置１０１に指定される。
【００７５】
（実施例１−１−２についてのＺＰ  ＣＳＩ−ＲＳの設定方法について）
実施例１−１−２におけるＺＰ  ＣＳＩ−ＲＳの設定に関し、あるセルのＺＰ  ＣＳＩ−ＲＳは、ＤＬ送信を行う他セルのＰＤＳＣＨと重複するリソースに設定されることとしてよい。また、あるセルのＺＰ  ＣＳＩ−ＲＳは、ＤＬ送信を行う他セルのＺＰ  ＣＳＩ−ＲＳと重複するリソースに設定されてよい。また、あるセルのＺＰ  ＣＳＩ−ＲＳは、ＵＬ送信を行う他セルのＰＵＳＣＨと重複するリソースに設定されてよい。
【００７６】
ＺＰ  ＣＳＩ−ＲＳの設定位置として、例えば、以下のオプションがある。
【００７７】
（１）ＺＰ  ＣＳＩ−ＲＳ設定オプション１
ＺＰ  ＣＳＩ−ＲＳは、ＮＺＰ  ＣＳＩ−ＲＳのリソースプール内に限定される。
【００７８】
（２）ＺＰ  ＣＳＩ−ＲＳ設定オプション２
ＺＰ  ＣＳＩ−ＲＳは、スロット内の制御チャネル領域を除くどのリソースに設定してもよい（スロット内の制御チャネル領域を除く任意のリソースに限定される）。
【００７９】
以下、実施例１−１−２における上記のＺＰ  ＣＳＩ−ＲＳ設定オプション１とＺＰ  ＣＳＩ−ＲＳ設定オプション２のそれぞれについて具体例（それぞれについてＡｌｔ．（Ａｌｔｅｒｎａｔｉｖｅ）１〜３がある）を説明する。
【００８０】
＜実施例１−１−２：ＺＰ  ＣＳＩ−ＲＳ設定オプション１＞
Ａｌｔ．１）ＺＰ  ＣＳＩ−ＲＳをＲＲＣシグナリングによりセミスタティックに設定する。設定内容は、例えば、ＺＰ  ＣＳＩ−ＲＳ毎の固定のＲＥ（リソースエレメント）パターン（ＲＥ群と称してもよい）である。また、例えば、リソースプールにおけるどのＲＥをＺＰ  ＣＳＩ−ＲＳとして使用するかを指定するビットマップが使用される。
【００８１】
図１７、図１８に一例を示す。図１７には、スロットにおけるＣＳＩ−ＲＳのリソースプール（インデックスが０〜１５の４ＲＥ）が網掛けで示されている。この中から、インデックス１と３のＲＥ群をＺＰ  ＣＳＩ−ＲＳとしてユーザ装置１０１に設定する場合、基地局２０１は、ユーザ装置１０１に対し、ＲＲＣシグナリングにより、図１８（ａ）に示すビットマップを送信する。
【００８２】
図１８（ａ）の例では、測定に使用する１つのＺＰ  ＣＳＩ−ＲＳリソース（４ＲＥ）を指定するために２ビットが使用される。２ビットのうちの下位ビット（例：０１における１）は、リソースプールの中のＺＰ  ＣＳＩ−ＲＳリソースを指定する。２ビットのうちの上位ビット（例：０１における０）は、指定されたＺＰ  ＣＳＩ−ＲＳリソースが、ＣＬＩ干渉の測定に使用するもの（例：図９のＩＭＲ１）か、あるいは、ＣＬＩとＩＣＩのトータルの干渉の測定に使用するもの（例：図９のＩＭＲ２）かを指定する。
【００８３】
Ａｌｔ．２）ＺＰ  ＣＳＩ−ＲＳをＬａｙｅｒ１（物理）シグナリング（ＤＣＩ）によりダイナミックに設定する。この場合も、設定内容は、例えば、ＺＰ  ＣＳＩ−ＲＳ毎の固定のＲＥ（リソースエレメント）パターンである。また、例えば、ＣＳＩ−ＲＳリソースプールにおけるどのリソース（例：２つの４ＲＥ群）をＺＰ  ＣＳＩ−ＲＳとして使用するかを指定する情報（例：８ビットフィールド）がＤＣＩに含まれる。
【００８４】
例えば、図１７に示す例において、インデックス１、３のＲＥ群をＺＰ  ＣＳＩ−ＲＳとしてユーザ装置１０１に設定する場合、基地局２０１は、ユーザ装置１０１に対し、物理下り制御チャネルにより、図１８（ｂ）に示す０００１００１１を設定したＤＣＩを送信する。
【００８５】
図１８（ｂ）の例では、測定に使用する２つのＺＰ  ＣＳＩ−ＲＳリソース（４ＲＥ）を指定するために８ビットが使用される。８ビットのうちの上位ビット（例：図１８（ｂ）における０００１）は、ＣＬＩ干渉の測定に使用するＺＰ  ＣＳＩ−ＲＳリソースを指定する。８ビットのうちの下位ビット（例：図１８（ｂ）における００１１）は、ＣＬＩとＩＣＩのトータルの干渉の測定に使用するＺＰ  ＣＳＩ−ＲＳリソースを指定する。
【００８６】
Ａｌｔ．３）Ａｌｔ．１とＡｌｔ．２を組み合わせる。この場合、例えば、まず、設定候補となるＺＰ  ＣＳＩ‐ＲＳのリソースセットが上位レイヤシグナリングにより基地局２０１からユーザ装置１０１に設定される。そして、実際に使用するＺＰ  ＣＳＩ−ＲＳリソースが、Ｌ１シグナリングにより、基地局２０１からユーザ装置１０１に指定される。
【００８７】
＜実施例１−１−２：ＺＰ  ＣＳＩ−ＲＳ設定オプション２＞
Ａｌｔ．１）ＺＰ  ＣＳＩ−ＲＳをＲＲＣシグナリングによりセミスタティックに設定する。例えば、スロットにおける制御チャネル領域を除く時間・周波数リソースが複数のブロックに分割される（例：１ブロックが４ＲＥ）。そして、例えば、リソースプールにおけるどのＲＥをＺＰ  ＣＳＩ−ＲＳとして使用するかを指定するビットマップが使用される。
【００８８】
図１９、図２０に一例を示す。図１９には、上述したブロック分割を行った領域の例として（ａ）、（ｂ）が示されている。（ａ）、（ｂ）では図示のとおりにインデックスの振り方が異なる。この中から、インデックス１と３のＲＥ群をＺＰ  ＣＳＩ−ＲＳとしてユーザ装置１０１に設定する場合、基地局２０１は、ユーザ装置１０１に対し、ＲＲＣシグナリングにより、図２０（ａ）に示すビットマップを送信する。
【００８９】
図２０（ａ）の例では、測定に使用する１つのＺＰ  ＣＳＩ−ＲＳリソース（４ＲＥ）を指定するために２ビットが使用される。２ビットのうちの下位ビット（例：０１における１）は、リソースプールの中のＺＰ  ＣＳＩ−ＲＳリソースを指定する。２ビットのうちの上位ビット（例：０１における０）は、指定されたＺＰ  ＣＳＩ−ＲＳリソースが、ＣＬＩ干渉の測定に使用するもの（例：図９のＩＭＲ１）か、あるいは、ＣＬＩとＩＣＩのトータルの干渉の測定に使用するもの（例：図９のＩＭＲ２）かを指定する。
【００９０】
Ａｌｔ．２）この場合も、例えば、スロットにおける制御チャネル領域を除く時間・周波数リソースが複数のブロックに分割される（例：１ブロックが４ＲＥ）。そして、ブロックが存在する領域におけるどのリソースをＺＰ  ＣＳＩ−ＲＳとして使用するかを指定する情報（例：１０ビットフィールド）がＤＣＩに含まれる。
【００９１】
例えば、図１９に示す例において、インデックス１、３のＲＥ群をＺＰ  ＣＳＩ−ＲＳとしてユーザ装置１０１に設定する場合、基地局２０１は、ユーザ装置１０１に対し、物理下り制御チャネルにより、図２０（ｂ）に示す１０ビット（００００１０００１１を設定したＤＣＩを送信する。
【００９２】
図２０（ｂ）の例では、測定に使用する２つのＺＰ  ＣＳＩ−ＲＳリソース（４ＲＥ）を指定するために１０ビットが使用される。１０ビットのうちの上位ビット（例：図２０（ｂ）における００００１）は、ＣＬＩ干渉の測定に使用に使用するＺＰ  ＣＳＩ−ＲＳリソースを指定する。１０ビットのうちの下位ビット（例：図２０（ｂ）における０００１１）は、ＣＬＩとＩＣＩのトータルの干渉の測定に使用するＺＰ  ＣＳＩ−ＲＳリソースを指定する。
【００９３】
Ａｌｔ．３）Ａｌｔ．１とＡｌｔ．２を組み合わせる。この場合、例えば、まず、設定候補となるＺＰ  ＣＳＩ‐ＲＳのリソースセットが上位レイヤシグナリングにより基地局２０１からユーザ装置１０１に設定される。そして、実際に使用する２つのＺＰ  ＣＳＩ−ＲＳリソースが、Ｌ１シグナリングにより、基地局２０１からユーザ装置１０１に指定される。
【００９４】
（実施例２）
次に、実施例２を説明する。実施例２では、ユーザ装置１０１は、干渉セルから受信するＤＭＲＳにより、干渉量を測定する。
【００９５】
実施例２は、データ領域の先頭に配置されるｆｒｏｎｔ−ｌｏａｄｅｄ  ＤＭＲＳを使用して干渉量の測定を行う実施例２−１と、追加のＤＭＲＳを使用して干渉量の測定を行う実施例２−２とに分けられる。以下、それぞれについて説明する。
【００９６】
＜実施例２−１＞
図２１は、実施例２−１を説明するための図である。（ａ）はサービングセルのＤＬのスロット構成を示し、（ｂ）はＤＬ干渉セルのスロット構成を示し、（ｃ）はＵＬ干渉セルのスロット構成を示す。（ａ）〜（ｃ）がこれらを意味することは図２２〜図２７においても同様である。
【００９７】
図２１に示す例では、各セルで１ＯＦＤＭシンボルのｆｒｏｎｔ−ｌｏａｄｅｄ  ＤＭＲＳが使用される。なお、以下で説明する図２１に示す例では、ＤＭＲＳの１ＯＦＤＭシンボルの時間位置がセル間で同一であるが、これは一例であり、ＤＭＲＳの１ＯＦＤＭシンボルの時間位置がセル間で異なっていてもよい。その場合、例えば、サービングセルのユーザ装置１０１にＺＰ  ＣＳＩ−ＲＳのリソースが設定され、当該リソースで干渉セルからのＤＭＲＳを受信する。２ＯＦＤＭシンボルの場合も同様である。
【００９８】
例えば、実施例２−１において、ＤＬのＤＭＲＳ（サービングセルのＤＭＲＳとＤＬ干渉セルのＤＭＲＳ）と、ＵＬのＤＭＲＳは、異なるアンテナポートに設定される。アンテナポート毎にＤＭＲＳの時間・周波数リソースへのマッピングが定められており、基本的に、ＤＭＲＳ用のアンテナポートが異なれば、当該アンテナポートのＤＭＲＳ間では、時間・周波数リソースが重複しない。例えば、サービングセルとＤＬ干渉セルにおいて、ＤＬのＤＭＲＳ用のアンテナポートとしてアンテナポート０がユーザ装置１０１、１０２に設定され、ＵＬ干渉セルにおいて、ＵＬのＤＭＲＳ用のアンテナポートとしてアンテナポート１がユーザ装置１０３に設定される。
【００９９】
この場合、基地局２０１、２０２はそれぞれ、ユーザ装置１０１、１０２に対し、アンテナポート０に対応するリソースマッピングがされたＤＭＲＳを送信し、ＵＬ干渉セルのユーザ装置１０３は、アンテナポート１に対応するリソースマッピングがされたＤＭＲＳを送信する。
【０１００】
図２１の例において、サービングセルのユーザ装置１０１は、自身のＤＬ  ＤＭＲＳのリソースにおいて、ＤＬ干渉セルからのＤＬ  ＤＭＲＳを受信し、ＤＬ干渉セルからの干渉量を測定できる。なお、セル間で、ＤＬ  ＤＭＲＳの系列等を異ならせることで、サービングセルのユーザ装置１０１は、自身のＤＬ  ＤＭＲＳのリソースで受信するＤＬ干渉セルのＤＬ  ＤＭＲＳを識別可能である。また、サービングセルのユーザ装置１０１は、自身のＤＬ  ＤＭＲＳがマッピングされるシンボルにおける、ＤＬ  ＤＭＲＳがマッピングされない周波数リソースで、ＵＬ干渉セルからのＵＬ  ＤＭＲＳを受信することで、ＵＬ干渉セルからの干渉量を測定できる。
【０１０１】
なお、図２１の例では、サービングセルとＤＬ干渉セルのＤＬ  ＤＭＲＳのリソースが重複しているが、これらを重複しないようにしてもよい。また、ＵＬ干渉セルのＵＬ  ＤＭＲＳのリソースが、サービングセルのＤＬ  ＤＭＲＳのリソースと重複してもよいし、ＤＬ干渉セルのＤＬ  ＤＭＲＳのリソースと重複してもよいし、サービングセルとＤＬ干渉セルの両方のＤＬ  ＤＭＲＳのリソースと重複してもよい。
【０１０２】
図２２〜図２４は、ＤＭＲＳがマッピングされるＯＦＤＭシンボル長のバリエーションを示している。ＤＭＲＳがマッピングされるＯＦＤＭシンボル長が異なることを除き、図２２〜図２４に示す各例は、図２１で説明した例と同様である。
【０１０３】
図２２に示す例では、各セルで２ＯＦＤＭシンボルのｆｒｏｎｔ−ｌｏａｄｅｄ  ＤＭＲＳが使用される。図２３に示す例では、ＤＬ  ＤＭＲＳに２ＯＦＤＭシンボルが使用され、ＵＬ  ＤＭＲＳに１ＯＦＤＭシンボルが使用される。図２４に示す例では、ＤＬ  ＤＭＲＳに１ＯＦＤＭシンボルが使用され、ＵＬ  ＤＭＲＳに２ＯＦＤＭシンボルが使用される。
【０１０４】
なお、上記の各例では、サービングセルとＤＬ干渉セルとでＤＬ  ＤＭＲＳのＯＦＤＭシンボル長が同じであるが、これらが異なっていてもよい。例えば、サービングセルのＤＬ  ＤＭＲＳのＯＦＤＭシンボル長を１とし、ＤＬ干渉セルのＤＬ  ＤＭＲＳのＯＦＤＭシンボル長を２としてもよいし、サービングセルのＤＬ  ＤＭＲＳのＯＦＤＭシンボル長を２とし、ＤＬ干渉セルのＤＬ  ＤＭＲＳのＯＦＤＭシンボル長を１としてもよい。
【０１０５】
＜実施例２−２＞
図２５は、実施例２−２を説明するための図である。図２５に示す例では、各セルで１ＯＦＤＭシンボルの追加のＤＭＲＳ（ａｄｄｉｔｉｏｎａｌ  ＤＭＲＳ）が使用される。追加のＤＭＲＳのＯＦＤＭシンボルの位置はセル間で同じである。
【０１０６】
図２５に示す例では、ＤＭＲＳの１ＯＦＤＭシンボルの時間位置がセル間で同一であるが、これは一例であり、ＤＭＲＳの１ＯＦＤＭシンボルの時間位置がセル間で異なっていてもよい。その場合、例えば、サービングセルのユーザ装置１０１にＺＰ  ＣＳＩ−ＲＳのリソースが設定され、当該リソースで干渉セルからのＤＭＲＳを受信する。２ＯＦＤＭシンボルの場合も同様である。
【０１０７】
実施例２−１と同様に、ＤＬのＤＭＲＳ（サービングセルのＤＭＲＳとＤＬ干渉セルのＤＭＲＳ）と、ＵＬのＤＭＲＳは、異なるアンテナポートに設定される。例えば、サービングセルとＤＬ干渉セルにおいて、ＤＬのＤＭＲＳ用のアンテナポートとしてアンテナポート０がユーザ装置１０１、１０２に設定され、ＵＬ干渉セルにおいて、ＵＬのＤＭＲＳ用のアンテナポートとしてアンテナポート１がユーザ装置１０３に設定される。
【０１０８】
この場合、基地局２０１、２０２はそれぞれ、ユーザ装置１０１、１０２に対し、アンテナポート０に対応するリソースマッピングがされたＤＭＲＳを送信し、ＵＬ干渉セルのユーザ装置１０３は、アンテナポート１に対応するリソースマッピングがされたＤＭＲＳを送信する。
【０１０９】
図２５の例において、サービングセルのユーザ装置１０１は、自身のＤＬ  ＤＭＲＳのリソースにおいて、ＤＬ干渉セルからのＤＬ  ＤＭＲＳを受信し、ＤＬ干渉セルからの干渉量を測定できる。なお、セル間で、ＤＬ  ＤＭＲＳの系列等を異ならせることで、サービングセルのユーザ装置１０１は、自身のＤＬ  ＤＭＲＳのリソースで受信するＤＬ干渉セルのＤＬ  ＤＭＲＳを識別可能である。また、サービングセルのユーザ装置１０１は、自身のＤＬ  ＤＭＲＳがマッピングされるシンボルにおける、ＤＬ  ＤＭＲＳがマッピングされないリソースで、ＵＬ干渉セルからのＵＬ  ＤＭＲＳを受信することで、ＵＬ干渉セルからの干渉量を測定できる。
【０１１０】
なお、図２５の例では、サービングセルとＤＬ干渉セルのＤＬ  ＤＭＲＳのリソースが重複しているが、これらを重複しないようにしてもよい。また、ＵＬ干渉セルのＵＬ  ＤＭＲＳのリソースが、サービングセルのＤＬ  ＤＭＲＳのリソースと重複してもよいし、ＤＬ干渉セルのＤＬ  ＤＭＲＳのリソースと重複してもよいし、サービングセルとＤＬ干渉セルの両方のＤＬ  ＤＭＲＳのリソースと重複してもよい。
【０１１１】
図２６は、ＤＭＲＳがマッピングされるＯＦＤＭシンボル長のバリエーションを示している。ＤＭＲＳがマッピングされるＯＦＤＭシンボル長が異なることを除き、図２６に示す例は、図２５で説明した例と同じである。図２６に示す例では、各セルで２ＯＦＤＭシンボルの追加のＤＭＲＳが使用される。
【０１１２】
また、実施例２−２においても実施例２−１と同様に、ＤＬ  ＤＭＲＳに２ＯＦＤＭシンボルが使用され、ＵＬ  ＤＭＲＳに１ＯＦＤＭシンボルが使用されてもよい。また、ＤＬ  ＤＭＲＳに１ＯＦＤＭシンボルが使用され、ＵＬ  ＤＭＲＳに２ＯＦＤＭシンボルが使用されてもよい。
【０１１３】
また、サービングセルのＤＬ  ＤＭＲＳのＯＦＤＭシンボル長を１とし、ＤＬ干渉セルのＤＬ  ＤＭＲＳのＯＦＤＭシンボル長を２としてもよいし、サービングセルのＤＬ  ＤＭＲＳのＯＦＤＭシンボル長を２とし、ＤＬ干渉セルのＤＬ  ＤＭＲＳのＯＦＤＭシンボル長を１としてもよい。
【０１１４】
（実施例２における設定方法、及びユーザ装置の動作について）
実施例２では、ＵＬ  ＤＭＲＳとＤＬ  ＤＭＲＳとが、１つ又は２つのＯＦＤＭシンボル上で多重されるケース（ケース１とする）と、ＵＬ  ＤＭＲＳとＤＬ  ＤＭＲＳとが異なるシンボルで多重されるケース（ケース２とする）がある。また、ケース１は、ケース１−１、ケース１−２に分けられる。以下、それぞれについて説明する。
【０１１５】
＜ケース１−１＞
ケース１−１では、例えば、図２５、図２６に示したように、ＵＬ  ＤＭＲＳとＤＬ  ＤＭＲＳとが異なるＲＥにマッピングされる。すなわち、ＵＬ  ＤＭＲＳとＤＬ  ＤＭＲＳとが周波数分割多重（例：ＩＦＤＭＡ）により多重される。以下の動作はサービングセルの基地局２０１、ユーザ装置１０１を例に用いて説明するが、他のセルの基地局、ユーザ装置でも同様の動作が行われ得る。
【０１１６】
ＤＭＲＳの設定において、基地局２０１は、ユーザ装置１０１に対し、ＤＭＲＳ設定（ＤＭＲＳ  ｃｏｎｆｉｇｕｒａｔｉｏｎ）を通知する。通知内容は、例えば、ｃｏｎｆｉｇｕｒａｔｉｏｎ  １、ｃｏｎｆｉｇｕｒａｔｉｏｎ  ２のような指定、あるいは、アンテナポート番号である。また、基地局２０１は、ユーザ装置１０１に対し、ＤＬ／ＵＬにより使用されるポート範囲と、ＰＤＳＣＨ送信（ユーザ装置にとっての受信）のためのアンテナポートを通知する。更に、基地局２０１は、ユーザ装置１０１に対し、ユーザ装置１０１がＤＭＲＳによる測定を可能とするために、測定モードを通知(設定)する。測定モードには、例えば、ＵＬ干渉セルからのＵＬ  ＤＭＲＳにより干渉量測定を行うモード、ＤＬ干渉セルからのＤＬ  ＤＭＲＳにより干渉量測定を行うモード、両方の干渉量測定を行うモード等がある。
【０１１７】
上述した基地局２０１からユーザ装置１０１への各通知は、ＲＲＣで行ってもよいし、ＭＡＣ  ＣＥで行ってもよいし、ＤＣＩで行ってもよい。
【０１１８】
ユーザ装置１０１は、基地局２０１から通知されるＰＤＳＣＨ送信（ＵＥから見たら受信）のためのＤＣＩにより指定されるＤＭＲＳにより、干渉量の測定を行う。また、ユーザ装置１０１は、ＤＣＩ（ＭＡＣ  ＣＥ、ＲＲＣでもよい）により指定されるＮＺＰ  ＣＳＩ−ＲＳリソースを使用して干渉量測定を行うこととしてもよい。
【０１１９】
また、ユーザ装置１０１は、ＵＬ  ＤＭＲＳ用のＲＥにおいてＵＬ干渉セルからの干渉量（ＣＬＩ）を測定してもよい。
【０１２０】
また、ユーザ装置１０１は、ＺＰ  ＣＳＩ−ＲＳリソースでＤＬ干渉セルからの干渉量（ＩＣＩ）を測定してもよい。また、ユーザ装置１０１は、ＤＬ  ＤＭＲＳリソースにおいて、受信信号から所望信号を引くことにより、ＤＬ干渉セルからの干渉量を測定してもよい。また、ユーザ装置１０１は、測定結果を用いて、フィードバックのためのＣＳＩ（ＣＱＩ、ＰＭＩ、ＲＩ等）を算出してもよいし、受信のための干渉の相関行列を算出してもよい。
【０１２１】
＜ケース１−２＞
ケース１−２では、ＵＬ  ＤＭＲＳとＤＬ  ＤＭＲＳとが同じＲＥにマッピングされる。例えば、系列の異なるサイクリックシフトにより多重が行われる。ケース１−２でも、以下の動作はサービングセルの基地局２０１、ユーザ装置１０１を例に用いて説明するが、他のセルの基地局、ユーザ装置でも同様の動作が行われ得る。
【０１２２】
ＤＭＲＳの設定において、基地局２０１は、ユーザ装置１０１に対し、ＤＭＲＳ設定（ＤＭＲＳ  ｃｏｎｆｉｇｕｒａｔｉｏｎ）を通知する。通知内容は、例えば、ｃｏｎｆｉｇｕｒａｔｉｏｎ  １、ｃｏｎｆｉｇｕｒａｔｉｏｎ  ２のような指定、あるいは、アンテナポート番号である。また、基地局２０１は、ユーザ装置１０１に対し、ＤＬ／ＵＬにより使用されるポート範囲と、ＰＤＳＣＨ送信のためのアンテナポートを通知する。更に、基地局２０１は、ユーザ装置１０１に対し、ユーザ装置１０１がＤＭＲＳによる測定を可能とするために、測定モードを通知（設定）する。測定モードには、例えば、ＵＬ干渉セルからのＵＬ  ＤＭＲＳにより干渉量測定を行うモード、ＤＬ干渉セルからのＤＬ  ＤＭＲＳにより干渉量測定を行うモード、両方の干渉量測定を行うモード等がある。
【０１２３】
上述した基地局２０１からユーザ装置１０１への各通知は、ＲＲＣで行ってもよいし、ＭＡＣ  ＣＥで行ってもよいし、ＤＣＩで行ってもよい。
【０１２４】
ユーザ装置１０１は、基地局２０１から通知されるＰＤＳＣＨ送信（ＵＥから見たら受信）のためのＤＣＩにより指定されるＤＭＲＳによる干渉量の測定を行うことができる。また、ユーザ装置１０１は、ＤＣＩ（ＭＡＣ  ＣＥ、ＲＲＣでもよい）により指定されるＮＺＰ  ＣＳＩ−ＲＳリソースを使用して干渉量測定を行うこととしてもよい。
【０１２５】
また、ユーザ装置１０１は、ＤＬ  ＤＭＲＳリソースにおいて、受信信号から所望信号を引くことにより、ＤＬ干渉セルからの干渉量と、ＵＬ干渉セルからの干渉量のそれぞれを測定してもよい。また、ユーザ装置１０１は、測定結果を用いて、フィードバックのためのＣＳＩ（ＣＱＩ、ＰＭＩ、ＲＩ等）を算出してもよいし、受信のための干渉の相関行列を算出してもよい。
【０１２６】
なお、上述した例は、ｆｒｏｎｔ−ｌｏａｄｅｄ  ＤＭＲＳと追加ＤＭＲＳのいずれにも適用できる。
【０１２７】
＜ケース２＞
ケース２では、ＵＬ  ＤＭＲＳとＤＬ  ＤＭＲＳとが異なるシンボルにマッピングされる（ｆｒｏｎｔ−ｌｏａｄｅｄ  ＤＭＲＳと追加ＤＭＲＳのいずれにも適用できる）。
【０１２８】
ＤＭＲＳの設定において、基地局２０１は、ユーザ装置１０１に対し、ＤＬ送信のためのＤＭＲＳ設定（ＤＭＲＳ  ｃｏｎｆｉｇｕｒａｔｉｏｎ）を通知する。通知内容は、例えば、ｃｏｎｆｉｇｕｒａｔｉｏｎ  １、ｃｏｎｆｉｇｕｒａｔｉｏｎ  ２のような指定、あるいは、アンテナポート番号である。また、基地局２０１は、ユーザ装置１０１に対し、干渉セルのＵＬ  ＤＭＲＳの設定（リソース位置等）を通知する。
【０１２９】
更に、基地局２０１は、ユーザ装置１０１に対し、ユーザ装置１０１がＤＭＲＳによる測定を可能とするために、測定モードを通知(設定)する。測定モードには、例えば、ＵＬ干渉セルからのＵＬ  ＤＭＲＳにより干渉量測定を行うモード、ＤＬ干渉セルからのＤＬ  ＤＭＲＳにより干渉量測定を行うモード、両方の干渉量測定を行うモード等がある。
【０１３０】
上述した基地局２０１からユーザ装置１０１への各通知は、ＲＲＣで行ってもよいし、ＭＡＣ  ＣＥで行ってもよいし、ＤＣＩで行ってもよい。また、レートマッチングが同時に設定されてもよい。
【０１３１】
ユーザ装置１０１は、基地局２０１から通知されるＰＤＳＣＨ送信（ＵＥから見たら受信）のためのＤＣＩにより指定されるＤＭＲＳによる干渉量の測定を行う。また、ユーザ装置１０１は、ＤＣＩ（ＭＡＣ  ＣＥ、ＲＲＣでもよい）により指定されるＮＺＰ  ＣＳＩ−ＲＳリソースを使用して干渉量測定を行うこととしてもよい。
【０１３２】
また、ユーザ装置１０１は、レートマッチングのために通知されたＵＬ  ＤＭＲＳ  ＲＥを受信することで、ＵＬ干渉セルからの干渉量（ＣＬＩ）を測定することとしてもよい。また、ユーザ装置１０１は、ＤＬ干渉セルからの干渉量を測定することとしてもよい。
【０１３３】
また、ユーザ装置１０１は、測定結果を用いて、フィードバックのためのＣＳＩ（ＣＱＩ、ＰＭＩ、ＲＩ等）を算出してもよいし、受信のための干渉の相関行列を算出してもよい。
【０１３４】
（実施例３）
実施例３は実施例１と実施例２の組み合わせに相当する。すなわち、実施例３では、ＣＳＩ−ＲＳとＤＭＲＳを使用して干渉量の測定を行う。
【０１３５】
図２７を参照して実施例３を説明する。図２７に示すように、サービングセルのユーザ装置１０１には、干渉量の測定のためにＺＰ  ＣＳＩ−ＲＳが設定される。また、干渉セルにおけるユーザ装置には、サービングセルのＺＰ  ＣＳＩ−ＲＳリソースと同じリソースにＤＭＲＳが設定される。図２７の例では、ＵＬ干渉セルのユーザ装置１０３に、サービングセルのＺＰ  ＣＳＩ−ＲＳリソースと同じリソースにＵＬ  ＤＭＲＳが設定される。
【０１３６】
図２７の例では、ＤＬ干渉セルのスロットにおいてＡで示すように、サービングセルにおいてＣＬＩ測定を行うＺＰ  ＣＳＩ−ＲＳリソース（Ｂで示す）と同じリソースにＺＰ  ＣＳＩ−ＲＳが設定されている。
【０１３７】
これにより、サービングセルのユーザ装置１０１は、Ｂで示すリソースでＵＬ干渉セルからの干渉量を測定でき、Ｃで示すリソースで、ＵＬ干渉セルからの干渉量とＤＬ干渉セルからの干渉量を測定できる。
【０１３８】
図２７に示したように、実施例３では、ＺＰ  ＣＳＩ−ＲＳとＤＭＲＳとが重複する設定がサポートされる。例えば、ＺＰ  ＣＳＩ−ＲＳのパターンがＤＭＲＳのパターンにそろえられる。ＺＰ  ＣＳＩ−ＲＳベースのＩＭＲ（干渉測定リソース）は、全てのＵＬ  ＤＭＲＳリソース（ＲＥ）をカバーすることとしてもよいし、全てのＵＬ  ＤＭＲＳリソース（ＲＥ）の中の一部のリソースをカバーすることとしてもよい。例えば、図２８（ｂ）に示すＵＬ干渉セルのスロット構成の中にＡで示すシンボルに存在するＵＬ  ＤＭＲＳの全て又は一部のＲＥが、サービングセルのユーザ装置１０１（図２８（ａ））において、ＺＰ  ＣＳＩ−ＲＳのポートとして、あるいは、ＩＭＲとして設定される。
【０１３９】
なお、実施例１と実施例２の組み合わせにおいて、サービングセルのユーザ装置１０１に対し、ＺＰ  ＣＳＩ−ＲＳとともに、ＤＬ  ＤＭＲＳが設定されてもよい。
【０１４０】
また、これまでに説明した実施例１〜３（及び下記の実施例４）において、ＵＬ干渉セルのユーザ装置は、自身の識別情報（ＵＥ−ＩＤ）を含めたＣＳＩ−ＲＳ、又は、自身の識別情報（ＵＥ−ＩＤ）を含めたＵＬ  ＤＭＲＳを送信してもよい。この場合、受信側のサービングセルのユーザ装置１０１は、ＵＬ干渉セルから受信する干渉信号の送信元のユーザ装置の識別情報を把握できる。ユーザ装置１０１は、当該識別情報を含む測定報告を基地局２０１に送信することで、基地局２０１（及び協調する他の基地局）は、ＵＬ干渉の元となるユーザ装置を把握でき、当該ユーザ装置に対し、干渉低減のためのスケジューリングを実施することができる。
【０１４１】
（実施例４）
実施例４は、図７のＳ１０３で示した測定報告（ｍｅａｓｕｒｅｍｅｎｔ  ｒｅｐｏｒｔ）に関連する実施例である。実施例４は以下のオプション１、オプション２、オプション３に分けられる。
【０１４２】
＜実施例４：オプション１＞
オプション１では、ユーザ装置１０１は、測定により得られた測定結果を基地局２０１に報告しない。この場合、ユーザ装置１０１が、干渉抑圧機能を持つＡｄｖａｎｃｅｄ受信機（例：ＭＭＳＥ−ＩＲＣ受信機）を有すると想定している。
【０１４３】
ユーザ装置１０１は、干渉信号の測定に基づき、共分散行列を取得し、当該共分散行列を使用して干渉抑圧を行う。また、ユーザ装置１０１が、干渉セルの参照信号（ＮＺＰ  ＣＳＩ−ＲＳ、ＤＭＲＳ）を受信する場合、干渉信号の復号を行うことにより、干渉キャンセル（ＳＩＣ）を行うこととしてもよい。
【０１４４】
＜実施例４：オプション２＞
オプション２では、ユーザ装置１０１は、２つのＣＱＩを基地局２０１に報告する。例えば、ユーザ装置１０１は、ＵＬ干渉セルからの干渉量のみを考慮したＣＱＩと、ＵＬ干渉セルからの干渉量とＤＬ干渉セルからの干渉量を考慮したＣＱＩとの２つのＣＱＩを取得（算出）する。あるいは、ＤＬ干渉セルからの干渉量のみを考慮したＣＱＩと、ＵＬ干渉セルからの干渉量とＤＬ干渉セルからの干渉量を考慮したＣＱＩとの２つのＣＱＩを取得（算出）する。そして、ユーザ装置１０１は、これら２つのＣＱＩそれぞれを基地局２０１に送信する。ＵＬ干渉セルはＵＬ干渉端末であってもよい。また、ユーザ装置１０１は最も干渉量が強い測定用の設定に対応するＣＱＩと識別子を報告してもよい。ＤＬ干渉であるかＵＬ干渉であるかに関わらず、報告可能なＣＱＩの数Ｎに対して、干渉が強い上位Ｎ個の測定用の設定に対応するＣＱＩと識別子を報告してもよい。
【０１４５】
受信した２つのＣＱＩに基づいて、基地局２０１は、例えば、協調スケジューリング（ｃｏｏｒｄｉｎａｔｉｏｎ  ｓｃｈｅｄｕｌｉｎｇ）を行うことで、ユーザ装置１０１への干渉を低減させる。例えば、干渉セルの基地局において、ユーザ装置１０１に対する干渉となっていたリソースを変更する、当該リソースでの信号送信の電力を小さくする等の制御が実施される。
【０１４６】
＜実施例４：オプション３＞
オプション３では、ＵＬ干渉セルからの干渉量のみを考慮したＣＱＩと、ＵＬ干渉セルからの干渉量とＤＬ干渉セルからの干渉量を考慮したＣＱＩのいずれであるかに関わらずに、ユーザ装置１０１は１つのＣＱＩを基地局２０１に報告する。
【０１４７】
例えば、ユーザ装置１０１は、ＵＬ干渉セルからの干渉量のみを考慮したＣＱＩ、あるいは、ＵＬ干渉セルからの干渉量とＤＬ干渉セルからの干渉量を考慮したＣＱＩのいずれかを取得すると、当該ＣＱＩを基地局２０１に送信する。
【０１４８】
受信したＣＱＩに基づいて、基地局２０１は、例えば、リンクアダプテーションにより、ユーザ装置１０１への干渉を低減させる。例えば、ＭＣＳを干渉に強い値に設定するといった制御がなされる。なお、リンクアダプテーションはいずれの例でも適用可能である。
【０１４９】
実施例４のオプション１〜３において、ユーザ装置１０１が基地局２０１に報告する情報をＣＱＩとしたが、これは一例である。例えば、ユーザ装置１０１が基地局２０１に対し、干渉量（例：干渉信号のＲＳＲＰ）を報告してもよい。当該干渉量は、ＵＬ干渉セルからの干渉量であってもよいし、ＵＬ干渉セルからの干渉量とＤＬ干渉セルからの干渉量の合計（両者を区別しない）であってもよいし、ＤＬ干渉セルからの干渉量であってもよいし、ＵＬ干渉セルからの干渉量とＤＬ干渉セルからの干渉量（両者を区別）であってもよい。また、前述したように、ＵＬ干渉セルからの干渉量と、当該干渉量の元のなる干渉信号（ＣＳＩ−ＲＳ、ＤＭＲＳ等）に含まれていたユーザ装置の識別子を基地局に通知してもよい。
【０１５０】
（装置構成）
以上説明した実施の形態の動作を実行するユーザ装置１００及び基地局２００の機能構成例を説明する。ユーザ装置１００及び基地局２００はそれぞれ、本実施の形態で説明した全ての機能（ユーザ装置１００についてはユーザ装置１０１、１０２、１０３の機能、基地局２００であれば基地局２０１、２０２、２０３の機能）を備える。ただし、ユーザ装置１００及び基地局２００はそれぞれ、本実施の形態で説明した全ての機能の中の一部の機能を備えることとしてもよい。
【０１５１】
＜ユーザ装置１００＞
図２９は、ユーザ装置１００の機能構成の一例を示す図である。図２９に示すように、ユーザ装置１００は、信号送信部１１０と、信号受信部１２０と、設定情報格納部１３０と、測定部１４０を含む。図２９に示す機能構成は一例に過ぎない。本実施の形態に係る動作を実行できるのであれば、機能区分及び機能部の名称はどのようなものでもよい。
【０１５２】
信号送信部１１０は、上位レイヤの情報から下位レイヤの信号を生成し、当該信号を無線で送信するように構成されている。信号受信部１２０は、各種の信号を無線受信し、受信した信号から上位レイヤの情報を取得するように構成されている。
【０１５３】
設定情報格納部１３０は、予め設定される設定情報と、ダイナミック及び／又はセミスタティックに基地局２００等から設定される設定情報とを格納する。例えば、設定情報格納部１３０には、図７のステップＳ１０１において基地局２００から受信した設定情報が格納される。測定部１４０は、信号受信部１２０で受信した信号に基づき、本実施の形態で説明した干渉量の測定を行う。また、測定部１４０は、ＣＱＩ算出も行う。
【０１５４】
例えば、測定部１４０は、設定情報格納部１３０に格納された設定情報で指定されるリソースを使用して、干渉セルのアップリンク通信による干渉量を測定する。前記リソースは、例えば、ユーザ装置１００のサービングセルにおいてダウンリンク信号が送信されないリソースである。また、前記リソースは、前記アップリンク通信が行われる干渉セルにおいて参照信号の送信用に設定されるリソースと重複するリソースであってもよい。
【０１５５】
また、信号送信部１１０は、測定報告を送信する。例えば、信号送信部１１０は、測定部１４０により測定されたアップリンク通信による干渉量、及び、当該アップリンク通信を実行したユーザ装置の識別情報を含む測定報告を基地局２００に送信することができる。
【０１５６】
＜基地局２００＞
図３０は、基地局２００の機能構成の一例を示す図である。図３０に示すように、基地局２００は、信号送信部２１０と、信号受信部２２０と、スケジューリング部２３０と、設定情報管理部２４０、基地局間通信部２５０を含む。
【０１５７】
図３０に示す機能構成は一例に過ぎない。本実施の形態に係る動作を実行できるのであれば、機能区分及び機能部の名称はどのようなものでもよい。
【０１５８】
信号送信部２１０は、上位レイヤの情報から下位レイヤの信号を生成し、当該信号を無線で送信するように構成されている。信号受信部２２０は、各種の信号を無線受信し、受信した信号から上位レイヤの情報を取得するように構成されている。また、信号送信部２１０は、設定情報管理部２４０における設定情報に基づき、ＤＣＩを送信するとともに、送信したＤＣＩの内容に基づきＤＬデータを送信する。また、信号受信部２２０は、送信したＤＣＩの内容に基づき、ＵＬデータを受信する。また、信号受信部２２０は、ユーザ装置１００から測定報告を受信する。また、信号送信部２１０は、設定情報管理部２４０における設定情報に基づき、ＲＲＣメッセージ、ＭＡＣ信号等を送信する。
【０１５９】
スケジューリング部２３０は、ユーザ装置１００へのリソース割り当て等を行う。設定情報管理部２４０は記憶部を含み、予め設定される設定情報を格納するとともに、ダイナミック及び／又はセミスタティックにユーザ装置１００に対して設定する設定情報を決定し、保持する。また、基地局間通信部２５０は、例えば、協調スケジューリングに必要な情報（干渉量等）、ＤＭＲＳの設定情報、ＺＰ  ＣＳＩ−ＲＳの設定情報等を他の基地局との間で送受信する。
【０１６０】
＜ハードウェア構成＞
上記実施の形態の説明に用いたブロック図（図２９〜図３０）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１６１】
また、例えば、本発明の一実施の形態におけるユーザ装置１００と基地局２００はいずれも、本実施の形態に係る処理を行うコンピュータとして機能してもよい。図３１は、本実施の形態に係るユーザ装置１００と基地局２００のハードウェア構成の一例を示す図である。上述のユーザ装置１００と基地局２００はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【０１６２】
なお、以下の説明では、「装置」という文言は、回路、デバイス、ユニットなどに読み替えることができる。ＵＥとｅＮＢのハードウェア構成は、図に示した１００１〜１００６で示される各装置を１つ又は複数含むように構成されてもよいし、一部の装置を含まずに構成されてもよい。
【０１６３】
ユーザ装置１００と基地局２００における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１６４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【０１６５】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、図２９に示したユーザ装置１００の信号送信部１１０、信号受信部１２０、設定情報格納部１３０、測定部１４０は、メモリ１００２に格納され、プロセッサ１００１で動作する制御プログラムによって実現されてもよい。また、例えば、図３０に示した基地局２００の信号送信部２１０と、信号受信部２２０と、スケジューリング部２３０と、設定情報管理部２４０と、基地局間通信部２５０は、は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１６６】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【０１６７】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１６８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置１００の信号送信部１１０及び信号受信部１２０は、通信装置１００４で実現されてもよい。また、基地局２００の信号送信部２１０及び信号受信部２２０及び基地局間通信部２５０は、通信装置１００４で実現されてもよい。
【０１６９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１７０】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１７１】
また、ユーザ装置１００と基地局２００はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１７２】
（実施の形態のまとめ）
以上、説明したように、本実施の形態によれば、無線通信システムにおけるユーザ装置であって、リソースの設定情報を格納する設定情報格納部と、前記設定情報に基づいて、前記リソースを使用して、干渉セルのアップリンク通信による干渉量を測定する測定部と、を備えることを特徴とするユーザ装置が提供される。
【０１７３】
上記の構成により、干渉セルのアップリンク通信による干渉量を適切に測定することができる。
【０１７４】
前記リソースは、例えば、前記ユーザ装置のサービングセルにおいてダウンリンク信号が送信されないリソースである。本構成により、前記ユーザ装置のサービングセルにおいてダウンリンク信号の影響を受けることなく、干渉セルのアップリンク通信による干渉量を測定できる。
【０１７５】
前記リソースは、前記アップリンク通信が行われる干渉セルにおいて参照信号の送信用に設定されるリソースと重複するリソースであってもよい。この構成により、干渉セルから送信された参照信号を使用して干渉量を測定できるとともに、参照信号によりチャネル推定を行うことで、干渉セルから送信された干渉信号の復調も行うことができる。
【０１７６】
前記ユーザ装置は、前記測定部により測定された前記アップリンク通信による干渉量、及び、当該アップリンク通信を実行したユーザ装置の識別情報を含む測定報告を基地局に送信する送信部を更に備えることとしてもよい。本構成により、サービングセルの基地局（及び協調する他の基地局）は、ＵＬ干渉の元となるユーザ装置を把握でき、当該ユーザ装置に対し、干渉低減のためのスケジューリング等を実施することができる。
【０１７７】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置１００と基地局２００は機能的なブロック図を用いて説明されたが、そのような装置はハードウェアで、ソフトウェアで又はそれらの組み合わせで実現されてもよい。本発明の実施の形態に従ってユーザ装置１００が有するプロセッサにより動作するソフトウェア及び本発明の実施の形態に従って基地局２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１７８】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【０１７９】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【０１８０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１８１】
本明細書において基地局２００によって行われるとした特定動作は、場合によってはその上位ノード（ｕｐｐｅｒ  ｎｏｄｅ）によって行われることもある。基地局２００を有する１つまたは複数のネットワークノード（ｎｅｔｗｏｒｋ  ｎｏｄｅｓ）からなるネットワークにおいて、ユーザ装置１００との通信のために行われる様々な動作は、基地局２００および／または基地局２００以外の他のネットワークノード（例えば、ＭＭＥまたはＳ−ＧＷなどが考えられるが、これらに限られない）によって行われ得ることは明らかである。上記において基地局２００以外の他のネットワークノードが１つである場合を例示したが、複数の他のネットワークノードの組み合わせ（例えば、ＭＭＥおよびＳ−ＧＷ）であってもよい。
【０１８２】
本明細書で説明した各態様／実施形態は単独で用いてもよいし、組み合わせて用いてもよいし、実行に伴って切り替えて用いてもよい。
【０１８３】
ユーザ装置１００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１８４】
基地局２００は、当業者によって、ＮＢ（ＮｏｄｅＢ）、ｅＮＢ（ｅｎｈａｎｃｅｄ  ＮｏｄｅＢ）、ｇＮＢ、ベースステーション（Ｂａｓｅ  Ｓｔａｔｉｏｎ）、またはいくつかの他の適切な用語で呼ばれる場合もある。
【０１８５】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【０１８６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１８７】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１８８】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１８９】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１９０】
１００  ユーザ装置
１１０  信号送信部
１２０  信号受信部
１３０  設定情報格納部
１４０  測定部
２００  基地局
２１０  信号送信部
２２０  信号受信部
２３０  スケジューリング部
２４０  設定情報管理部
２５０  基地局間通信部
１００１  プロセッサ
１００２  メモリ
１００３  ストレージ
１００４  通信装置
１００５  入力装置
１００６  出力装置
【図１】
2020129707.tif 000003
【図２】
2020129707.tif 000004
【図３】
2020129707.tif 000005
【図４】
2020129707.tif 000006
【図５】
2020129707.tif 000007
【図６】
2020129707.tif 000008
【図７】
2020129707.tif 000009
【図８】
2020129707.tif 000010
【図９】
2020129707.tif 000011
【図１０】
2020129707.tif 000012
【図１１】
2020129707.tif 000013
【図１２】
2020129707.tif 000014
【図１３】
2020129707.tif 000015
【図１４】
2020129707.tif 000016
【図１５】
2020129707.tif 000017
【図１６】
2020129707.tif 000018
【図１７】
2020129707.tif 000019
【図１８】
2020129707.tif 000020
【図１９】
2020129707.tif 000021
【図２０】
2020129707.tif 000022
【図２１】
2020129707.tif 000023
【図２２】
2020129707.tif 000024
【図２３】
2020129707.tif 000025
【図２４】
2020129707.tif 000026
【図２５】
2020129707.tif 000027
【図２６】
2020129707.tif 000028
【図２７】
2020129707.tif 000029
【図２８】
2020129707.tif 000030
【図２９】
2020129707.tif 000031
【図３０】
2020129707.tif 000032
【図３１】
2020129707.tif 000033